(57)【要約】      （修正有）【課題】容器姿勢に依らず片手でも容易にウェットティッシュを取り出すことができるウェットティッシュ容器およびウェットティッシュ製品を提供する。【解決手段】積層された複数枚のウェットティッシュ４０を収容するウェットティッシュ容器であって、ウェットティッシュ４０を積層方向一端側から順に取り出すための第１の取出口１６と、ウェットティッシュ４０を積層方向他端側から順に取り出すための第２の取出口１８と、を備え、第１の取出口１６は積層方向の容器面である側面部１４ａに設けられ、第２の取出口１８は積層方向と直交する方向の容器面である端面部１４ｂに設けられている。【選択図】図４
2018070166.tif 000002
【特許請求の範囲】
【請求項１】
積層された複数枚のウェットティッシュを収容するウェットティッシュ容器であって、
前記ウェットティッシュを積層方向一端側から順に取り出すための第１の取出口と、積層方向他端側から順に取り出すための第２の取出口と、を備え、
前記第１の取出口は積層方向の容器面に設けられ、前記第２の取出口は前記積層方向と直交する方向の容器面に設けられていることを特徴とするウェットティッシュ容器。
【請求項２】
前記ウェットティッシュ容器は少なくとも第１の姿勢と第２の姿勢で使用でき、前記第１の姿勢では前記第１の取出口が容器上部に位置し、前記第２の姿勢では前記第２の取出口が容器上部に位置することを特徴とする請求項１に記載のウェットティッシュ容器。
【請求項３】
前記ウェットティッシュは、前記積層方向他端側が凹状に湾曲した状態で前記ウェットティッシュ容器に収容されることを特徴とする請求項１または２に記載のウェットティッシュ容器。
【請求項４】
前記ウェットティッシュは、連続取出し可能に折り畳まれ積層されていることを特徴とする請求項１〜３のいずれか一項に記載のウェットティッシュ容器。
【請求項５】
前記ウェットティッシュは、パッケージに入れられた状態で前記ウェットティッシュ容器に収容され、前記積層方向のパッケージ面および前記積層方向と直交する方向のパッケージ面には、それぞれ開口部が形成されていることを特徴とする請求項１〜４のいずれか一項に記載のウェットティッシュ容器。
【請求項６】
前記第１の取出口および前記第２の取出口の少なくとも一方に、取り出されるウェットティッシュと次のウェットティッシュとを引き離すセパレータが設けられていることを特徴とする請求項１〜５のいずれか一項に記載のウェットティッシュ容器。
【請求項７】
積層された複数枚のウェットティッシュと、請求項１〜６のいずれか１項に記載のウェットティッシュ容器と、を備え、前記ウェットティッシュが前記ウェットティッシュ容器に収容されたことを特徴とするウェットティッシュ製品。
【発明の詳細な説明】
【技術分野】
【０００１】
本発明は、ウェットティッシュ容器およびウェットティッシュ製品に関する。
【背景技術】
【０００２】
従来、ロール状に巻き回された連続的なウェットティッシュを収容する樹脂製のウェットティッシュ容器が用いられている。通常、ウェットティッシュ容器の上部側には、ウェットティッシュを取り出すための取出口が設けられ、この取出口には、ウェットティッシュを切断するためのスリットや十字孔などが設けられている。
【０００３】
ロール状の連続的なウェットティッシュには、一定間隔で切断用のミシン目が形成されており、容器から取り出す際に取出口のスリットや十字孔などに通すときに作用する摩擦抵抗力によってミシン目で切断されるようになっている。また、取出口にはカバーが被せられるようになっており、使用後には、カバーを被せてウェットティッシュに含まれている薬液などの溶液が蒸発しないようにしている（例えば、特許文献１参照）。
【０００４】
特許文献１には、容器本体の上部にウェットティッシュ取出口が設けられたウェットティッシュロール用容器が開示されている。容器体は、略円筒形の胴部を有し、その下部には平坦な底面部が形成されており、横置き姿勢で使用される。ウェットティッシュロールには、所定長さごとに切断用の破断線が形成され、取出口に設けられたスリットにより破断線で切断できるようになっている。
【先行技術文献】
【特許文献】
【０００５】
【特許文献１】特開２００５−２７１９８０号公報
【発明の概要】
【発明が解決しようとする課題】
【０００６】
しかしながら、特許文献１に記載のウェットティッシュロール用容器にあっては、横置き姿勢にしたときに上方に取り出すウェットティッシュ取出口が１つ設けられているだけなので、例えば、ユーザーが縦置き姿勢にしたときにはウェットティッシュを取り出し難かった。
【０００７】
また、特許文献１では、ウェットティッシュ取出口のスリットでウェットティッシュロールの破断線部分を切断する構成であり、取り出す際に容器が動かないように手で容器を押えておく必要があり、両手を使用しなければならず、片手ではウェットティッシュを取り出し難かった。
【０００８】
本発明は、上述のような課題を解決するためになされたもので、容器姿勢に依らず片手でも容易にウェットティッシュを取り出すことができるウェットティッシュ容器およびウェットティッシュ製品を提供することを目的とする。
【課題を解決するための手段】
【０００９】
本発明に係るウェットティッシュ容器は、上記目的達成のため、積層された複数枚のウェットティッシュを収容するウェットティッシュ容器であって、前記ウェットティッシュを積層方向一端側から順に取り出すための第１の取出口と、積層方向他端側から順に取り出すための第２の取出口と、を備え、前記第１の取出口は積層方向の容器面に設けられ、前記第２の取出口は前記積層方向と直交する方向の容器面に設けられていることを特徴とする。
【００１０】
上述のように、本発明に係るウェットティッシュ容器では、第１の取出口は積層方向の容器面に設けられ、第２の取出口は積層方向と直交する方向の容器面に設けられている。このため、容器姿勢が変わっても２つのうち使い易い方の取出口を選択して使用することができる。
【００１１】
また、第１および第２の取出口より、積層された複数枚のウェットティッシュを積層方向一端側または積層方向他端側から順に取り出す構成である。このため、ウェットティッシュを取り出す際に力をかけて個々のシートに分離する必要がなく、よって、特許文献１のように狭いスリットや十字孔などに通す必要がなく、片手でも容易に取り出すことができる。
【００１２】
したがって、本発明に係るウェットティッシュ容器は、容器姿勢に依らず片手でも容易にウェットティッシュを取り出すことができる。
【００１３】
また、前記ウェットティッシュ容器は少なくとも第１の姿勢と第２の姿勢で使用でき、前記第１の姿勢では前記第１の取出口が容器上部に位置し、前記第２の姿勢では前記第２の取出口が容器上部に位置する構成としてもよい。
【００１４】
この構成により、いずれの容器姿勢であっても常にどちらかの取出口が容器上部に位置するので、容器姿勢に依らず常に上方に取り出す動作を行なえばよく、取り出しやすい。
【００１５】
また、前記ウェットティッシュは、前記積層方向他端側が凹状に湾曲した状態で前記ウェットティッシュ容器に収容される構成としてもよい。
【００１６】
この構成により、積層方向他端側のウェットティッシュの全面が容器内面側に当接していないので、引き出す際の抵抗が少なく、積層方向に直交する方向の容器面に設けられた第２の取出口から取り出すのが容易である。
【００１７】
また、前記ウェットティッシュは、連続取出し可能に折り畳まれ積層された構成としてもよい。
【００１８】
この構成により、取り出したウェットティッシュが次のウェットティッシュを取出口まで引き連れてくるので、次のウェットティッシュを取り出しやすい。
【００１９】
また、前記ウェットティッシュは、パッケージに入れられた状態で前記ウェットティッシュ容器に収容され、前記積層方向のパッケージ面および前記積層方向と直交する方向のパッケージ面には、それぞれ開口部が形成された構成としてもよい。
【００２０】
この構成により、パッケージに入れられた状態でウェットティッシュ容器に収容して使用できる。これにより、パッケージごとウェットティッシュの詰め替えができるので、詰め替えが容易で、衛生的でもある。
【００２１】
また、前記第１の取出口および前記第２の取出口の少なくとも一方に、取り出されるウェットティッシュと次のウェットティッシュとを引き離すセパレータが設けられた構成としてもよい。
【００２２】
この構成により、ウェットティッシュをより確実に１枚ずつ取出口から取り出すことができる。
【００２３】
また、本発明に係るウェットティッシュ製品は、積層された複数枚のウェットティッシュと、上記いずれかに記載のウェットティッシュ容器と、を備え、前記ウェットティッシュが前記ウェットティッシュ容器に収容されたことを特徴とする。
【発明の効果】
【００２４】
本発明によれば、容器姿勢に依らず片手でも容易にウェットティッシュを取り出すことができるウェットティッシュ容器およびウェットティッシュ製品を提供することができる。
【図面の簡単な説明】
【００２５】
【図１】本発明の第１の実施の形態に係るウェットティッシュ容器の斜視図である。
【図２】図１のウェットティッシュ容器の蓋体を開けてウェットティッシュを収容する様子を示す斜視図である。
【図３】図１のウェットティッシュ容器の取出口のカバーが開いた状態を示す斜視図である。
【図４】図３のＡ−Ａ縦断面図であり、（ａ）は取出口のカバーが開いた状態、（ｂ）は取出口のカバーが閉じた状態であり、（ａ）、（ｂ）いずれもウェットティッシュが収容されたときの状態を示す。
【図５】図３のＢ−Ｂ横断面図であり、（ａ）は取出口のカバーが開いた状態、（ｂ）は取出口のカバーが閉じた状態であり、（ａ）、（ｂ）いずれもウェットティッシュが収容されたときの状態を示す。
【図６】図１のウェットティッシュ容器を縦置き姿勢にした状態を示す斜視図である。
【図７】本発明の第２の実施の形態に係るウェットティッシュ容器の斜視図である。
【図８】図７のウェットティッシュ容器の分解斜視図である。
【図９】図７のウェットティッシュ容器の使用時の斜視図である。
【図１０】図９のＣ−Ｃ縦断面図であり、（ａ）は取出口のカバーが開いた状態、（ｂ）は取出口のカバーが閉じた状態を示す。
【図１１】図９のＤ−Ｄ横断面図であり、（ａ）は取出口のカバーが開いた状態、（ｂ）は取出口のカバーが閉じた状態を示す。
【図１２】本発明の第３の実施の形態に係るウェットティッシュ容器の斜視図である。
【図１３】図１２のウェットティッシュ容器の分解斜視図である。
【図１４】図１２のウェットティッシュ容器の使用時の斜視図である。
【図１５】図１４のＥ−Ｅ縦断面図であり、（ａ）は取出口のカバーが開いた状態、（ｂ）は取出口のカバーが閉じた状態を示す。
【図１６】図１４のＦ−Ｆ横断面図であり、（ａ）は取出口のカバーが開いた状態、（ｂ）は取出口のカバーが閉じた状態を示す。
【図１７】（ａ）本発明の第４の実施の形態に係るウェットティッシュ容器の斜視図であり、（ｂ）は（ａ）のウェットティッシュ容器を斜め後方から見た斜視図であり、（ｃ）は（ｂ）のＧ−Ｇ断面図であり、（ｄ）は（ｂ）のＨ−Ｈ断面図である。
【図１８】図１７のウェットティッシュ容器の分解斜視図である。
【図１９】図１７のウェットティッシュ容器の使用時の斜視図である。
【図２０】図１９のＪ−Ｊ縦断面図であり、（ａ）は取出口のカバーが開いた状態、（ｂ）は取出口のカバーが閉じた状態を示す。
【図２１】図１９のＫ−Ｋ横断面図であり、（ａ）は取出口のカバーが開いた状態、（ｂ）は取出口のカバーが閉じた状態を示す。
【発明を実施するための形態】
【００２６】
以下、本発明の実施の形態について、図面を参照して説明する。
【００２７】
［第１の実施形態］
図１および図２に示すように、本発明の第１の実施形態に係るウェットティッシュ容器１０は、容器本体１２と蓋体１４とを備え、蓋体１４は、容器本体１２にヒンジ１３を介して開閉自在に取り付けられている。また、図２に示すように、ウェットティッシュ容器１０には、積層された複数枚のウェットティッシュ４０が収容されるようになっている。
【００２８】
ウェットティッシュ容器１０は、例えば、ポリプロピレン、ポリエチレン、ポリ塩化ビニル、ポリスチレン、ポリエステル系の樹脂などを用いて、射出成形やブロー成形によって製造される。
【００２９】
容器本体１２は、平坦な底面部１２ａと、側面部１２ｂ、１２ｄと、端面部１２ｃ、１２ｅとを有している。また、容器本体１２の側面部１２ｂには、その外面側に凸状の爪部１５ｂが形成されている。
【００３０】
蓋体１４は、側面部１４ａと端面部１４ｂ、１４ｃとを有している。蓋体１４の側面部１４ａの一端縁は、ヒンジ１３を介して容器本体１２の側面部１２ｄの上端縁に連結されている。側面部１４ａの他端縁には、その中央外面にタブ１５ａが端縁から突き出る状態で形成されている。タブ１５ａの内面側には、容器本体１２側の爪部１５ｂに係合する凹部が形成されており、蓋体１４が容器本体１２を閉鎖した状態で解除可能に固定するようになっている。
【００３１】
図１に示すように、ウェットティッシュ容器１０は、蓋体１４が閉じた状態では、容器本体１２の周縁部１２ｆと蓋体１４の周縁部１４ｄとが当接して略円筒形の密閉容器を形成するようになっている。
【００３２】
本実施形態は、蓋体１４がヒンジ１３を介して容器本体１２に設けられた構成であるが、容器本体に対する蓋体の構成はこれに限定されない。例えば、蓋体をシャフトヒンジにより容器本体に取り付ける構成や、圧入で取り付ける構成や、バックルを用いて取り付ける構成としてもよい。
【００３３】
図３は、ウェットティッシュ容器１０の取出口のカバーが開いた状態を示す斜視図であり、図４はそのＡ−Ａ縦断面図であり、図５はＢ−Ｂ横断面図である。ただし、図３では簡単のためウェットティッシュは図示していない。
【００３４】
図４に示すように、ウェットティッシュ容器１０は、ウェットティッシュ４０を積層方向一端側から順に取り出すための第１の取出口１６と、積層方向他端側から順に取り出すための第２の取出口１８と、を備えている。この第１の取出口１６は、積層方向の容器面である側面部１４ａに設けられ、第２の取出口１８は、積層方向と直交する方向の容器面である端面部１４ｂに設けられている。
【００３５】
また、ウェットティッシュ容器１０は少なくとも第１の姿勢である横置き姿勢（図１参照）と第２の姿勢である縦置き姿勢（図６参照）で使用でき、横置き姿勢では第１の取出口１６が容器上部に位置し、縦置き姿勢では第２の取出口１８が容器上部に位置するようになっている。
【００３６】
具体的には、容器本体１２は、平坦な底面部１２ａを備えており、ウェットティッシュ容器１０を横置き姿勢で使用できるようになっている。また、ウェットティッシュ容器１０は、第２の取出口１８が設けられていない方の閉鎖端部が、平坦な端面部１２ｅ、１４ｃで形成されており、ウェットティッシュ容器１０を縦置き姿勢で使用できるようになっている。
【００３７】
図３〜図５に示すように、第１の取出口１６は、矩形凹部１６ａと貫通孔１６ｂと溝部１６ｃとを有している。矩形凹部１６ａは、蓋体１４の湾曲した側面部１４ａの略中央に形成されている。貫通孔１６ｂは、矩形凹部１６ａの略中央に楕円形に形成されている。溝部１６ｃは、矩形凹部１６ａの円筒長手方向（Ｙ方向）の両側壁に形成され、第１のカバー部１７のスライド凸部１７ｄがスライド可能に収容されるようになっている（図５参照）。
【００３８】
第１の取出口１６には、該取出口を開閉自在に閉鎖する第１のカバー部１７が設けられている。第１のカバー部１７は、カバー本体１７ａとスライド凸部１７ｄとを有している。カバー本体１７ａは、蓋体１４の側面部１４ａと略同じ曲率で湾曲している。カバー本体１７ａの両端縁にはスライド操作しやすいように突条部１７ｂ、１７ｃが設けられている。スライド凸部１７ｄは、カバー本体１７ａの円筒長手方向（Ｙ方向）一端縁の両側に設けられている（図５参照）。
【００３９】
具体的には、図５（ａ）に示すように、各スライド凸部１７ｄは、カバー本体１７ａの内面側から突出した脚部とその先端外側に突出した突出部とを有し、この突出部が図５（ｂ）に示すように溝部１６ｃに入った状態で円筒長手方向（Ｙ方向）にスライドするようになっている。このようにして、第１のカバー部１７は、貫通孔１６ｂを閉鎖する第１の状態と、貫通孔１６ｂを開放する第２の状態の間でスライド可能となっている。
【００４０】
図３〜図５に示すように、第２の取出口１８は、半円形凹部１８ａと貫通孔１８ｂと凸部１８ｃとを有している。半円形凹部１８ａは、蓋体１４の一方の半円形の端面部１４ｂに形成されている。貫通孔１８ｂは、半円形凹部１８ａの略中央に楕円形に形成されている。凸部１８ｃは、貫通孔１８ｂの外側に円弧状に形成されている。また、半円形凹部１８ａの半円形の周壁は、第２のカバー部１９を開けやすいように中央部にて若干外側に膨らんでいる。
【００４１】
第２の取出口１８を開閉自在に閉鎖する第２のカバー部１９は、蓋体１４の一方の端面部１４ｂの下端縁にヒンジ部１９ｂを介して取り付けられている。第２のカバー部１９は、蓋体１４の半円形凹部１８ａと略同じ形状のカバー本体１９ａと、カバー本体１９ａに形成された円弧状の凸部１９ｃと、を有している。第２のカバー部１９側の凸部１９ｃが、蓋体１４の半円形凹部１８ａに形成された円弧状の凸部１８ｃの外面側に当接し係合することで、第２のカバー部１９が第２の取出口１８に液密状に嵌められるようになっている。
【００４２】
図３および図４に示すように、第２の取出口１８には、取り出されるウェットティッシュ４０ｂと次のウェットティッシュとを引き離すセパレータ１１が設けられている。具体的には、容器内側において第２の取出口１８の貫通孔１８ｂの周縁部に形成された環状凸部に、セパレータ１１が嵌められるようになっている。セパレータ１１は、第２の取出口１８の貫通孔１８ｂを塞ぐ大きさを有する本体の略中央に、貫通孔１８ｂより小さい円形の通し孔１１ａが形成されている。また、セパレータ本体には、通し孔１１ａに通じるスリット１１ｂが形成され、セパレータ１１の弾性変形を容易にしている。
【００４３】
セパレータ１１は、弾性変形しやすい材料、例えば、ゴム材料、ポリプロピレン、ポリエチレン、ビニール樹脂等で製造されるのが好ましい。
【００４４】
本実施の形態では、セパレータ１１の通し孔１１ａは円形であるが、形状は任意である。通し孔１１ａの大きさは、取り出されるウェットティッシュ４０ｂと次のウェットティッシュとを引き離すのに要する力を考慮して決められる。本実施の形態では、ウェットティッシュ４０は、従来のような一定間隔で切断用のミシン目が形成された連続的なウェットティッシュではなく、個々のシートに分離した複数枚のウェットティッシュを積層したものである。よって、従来の切断用のスリットや十字孔により連続的なウェットティッシュを切断する場合に比べて、ウェットティッシュをセパレータ１１に通すのに要する力は小さくてよい。
【００４５】
本実施の形態では、第２の取出口１８にセパレータ１１を設けているが、第１の取出口１６に設けてもよいし、第１および第２の取出口１６、１８の両方にそれぞれ設けてもよい。また、セパレータ１１を設ける代わりに、第１の取出口１６の貫通孔１６ｂや第２の取出口１８の貫通孔１８ｂの大きさを適度に狭めることにより、セパレータ１１の機能を持たせるようにしてもよい。
【００４６】
図５に示すように、ウェットティッシュ４０は、積層方向下端側が凹状に湾曲した状態でウェットティッシュ容器１０に収容されるようになっている。
【００４７】
積層されたウェットティッシュ４０の湾曲状態は、例えば、ウェットティッシュ容器１０の最大内径よりも大きい幅を有するパッケージ４２を、下端側を凹状の湾曲させた状態で容器内に入れることで実現できる。また、ウェットティッシュ容器１０内に支持部材を設けて、積層されたウェットティッシュ４０の入ったパッケージ４２を湾曲状態で支持するようにしてもよい。
【００４８】
また、図５に示すように、ウェットティッシュ４０は、連続取出し可能に折り畳まれ積層されている。すなわち、積層方向上端側の一のウェットティッシュ４０ａを持ち上げると、その下に積層されたウェットティッシュも取出口まで連れられて持ち上がり、連続して取り出せるようになっている。また、図４に示すように、積層方向下端側の一のウェットティッシュ４０ｂを引き抜くと、その上に積層されたウェットティッシュも連れられて引き出され、連続して取り出せるようになっている。このようないわゆるポップアップ式の積層体を形成するウェットティッシュの折り畳み方法は、公知の任意の方法が採用できる。
【００４９】
図２に示すように、ウェットティッシュ４０は、パッケージ４２に入れられた状態でウェットティッシュ容器１０に収容されるようになっている。また、積層方向のパッケージ面および積層方向と直交する方向のパッケージ面には、それぞれ第１の開口部４４および第２の開口部４６が形成されるようになっている。第１の開口部４４は、シール片４８を剥がして露出させる。第２の開口部４６は、パッケージ４２の側方端部を切除等して形成する。
【００５０】
積層されたウェットティッシュ４０は、積層方向上端側から一のウェットティッシュ４０ａが持ち上げられ、パッケージ４２の第１の開口部４４および容器の第１の取出口１６を介して取り出されるようになっている。また、積層されたウェットティッシュ４０は、積層方向下端側から一のウェットティッシュ４０ｂが引き出され、パッケージ４２の第２の開口部４６および容器の第２の取出口１８を介して取り出されるようになっている。
【００５１】
本実施形態では、図２に示すように、積層されたウェットティッシュ４０を包装しているパッケージ４２の第１の開口部４４を閉鎖しているシール片４８を剥がして開口部４４を露出させる。また、パッケージ４２の側方端部を切除等して第２の開口部４６を形成する。パッケージ４２に入れられた状態のウェットティッシュ４０が用いられているが、これに限定されない。パッケージ４２のない状態の積層された複数枚のウェットティッシュ４０をそのまま用いてもよい。
【００５２】
次に、作用効果について説明する。
本発明の第１の実施形態に係るウェットティッシュ容器１０は、第１の取出口１６は積層方向（Ｚ軸方向）の容器面である側面部１４ａに設けられ、第２の取出口１８は積層方向と直交する方向（Ｙ軸方向）の容器面である端面部１４ｂに設けられている。このため、容器姿勢が変わっても２つのうち使い易い方の取出口を選択して使用することができる。
【００５３】
また、本実施形態では、第１および第２の取出口１６、１８より、積層された複数枚のウェットティッシュ４０を積層方向一端側または積層方向他端側から順に取り出す構成である。このため、ウェットティッシュ４０を取り出す際に力をかけて個々のシートに分離する必要がなく、よって、従来のように狭いスリットや十字孔などに通す必要がなく、片手でも容易に取り出すことができる。
【００５４】
したがって、本実施形態に係るウェットティッシュ容器１０は、容器姿勢に依らず片手でも容易にウェットティッシュを取り出すことができる。
【００５５】
また、横置き姿勢のとき、第１の取出口１６が容器上部に位置し、縦置き姿勢のとき、第２の取出口１８が容器上部に位置するので、いずれの容器姿勢であっても常にどちらかの取出口が容器上部に位置するので、容器姿勢に依らず常に上方に取り出す動作を行なえばよく、取り出しやすい。
【００５６】
また、本実施形態では、積層された複数枚のウェットティッシュ４０は、積層方向下端側が凹状に湾曲した状態でウェットティッシュ容器１０に収容されている。これにより、積層方向下端側のウェットティッシュ４０ｂの全面が容器内面側に当接していないので、引き出す際の抵抗が少なく、積層方向に直交する方向にある端面部１４ｂに設けられた第２の取出口１８からウェットティッシュ４０ｂを取り出すのが容易である。
【００５７】
また、本実施形態では、ウェットティッシュ４０は、連続取出し可能に折り畳まれ積層された構成となっている。これにより、取り出したウェットティッシュが次のウェットティッシュを取出口まで引き連れてくるので、次のウェットティッシュを取り出しやすい。
【００５８】
また、本実施の形態では、ウェットティッシュ４０は、２つの開口部４４、４６を有するパッケージ４２に入れられた状態でウェットティッシュ容器１０に収容して使用できる。これにより、パッケージごとウェットティッシュの詰め替えができるので、詰め替えが容易であり、ウェットティッシュを手で直接触らなくてもよいので衛生的でもある。
【００５９】
また、本実施の形態では、第２の取出口１８にセパレータ１１が取り付けられている。セパレータ１１の通し孔１１ａは、第２の取出口１８の貫通孔１８ｂより小さいので、ウェットティッシュが引き出される際に通し孔１１ａから摩擦抵抗力を受ける。これにより、引き出されるウェットティッシュ４０ｂと次のウェットティッシュとを引き離すことができ、よって、より確実に１枚ずつウェットティッシュを取り出すことができる。
【００６０】
［第２の実施形態］
次に、本発明の第２の実施形態に係るウェットティッシュ容器２０を説明する。
【００６１】
図７および図８に示すように、本実施形態に係るウェットティッシュ容器２０は、有底筒状の容器本体２２と蓋体２４とを有している。容器本体２２の一端面部２２ｃに設けられた雄ネジ付き開口筒部２２ｄが、蓋体２４の雌ネジ付き筒部２４ｄに取り付けられることで、略円筒形の容器を形成するようになっている。
【００６２】
図８に示すように、積層された複数枚のウェットティッシュ４０は、パッケージ４２に入れられた状態で、容器本体２２の開口部２３から容器内に収容されるようになっている。
【００６３】
図９は、ウェットティッシュ容器２０の使用時の斜視図であり、図１０はそのＣ−Ｃ縦断面図であり、図１１はＤ−Ｄ横断面図である。
【００６４】
図１０に示すように、ウェットティッシュ容器２０は、ウェットティッシュ４０を積層方向上端側から順に取り出すための第１の取出口２６と、積層方向下端側から順に取り出すための第２の取出口２８と、を備えている。第１の取出口２６は、積層方向の容器面である容器本体２２の側面部２２ｂに設けられ、第２の取出口２８は、積層方向と直交する方向の容器面である蓋体２４に設けられている。
【００６５】
容器本体２２は、平坦な底面部２２ａを備えており、ウェットティッシュ容器２０を横置き姿勢で使用できるようになっている。また、ウェットティッシュ容器２０は、容器本体２２が平坦な端面部２２ｃを備えており、ウェットティッシュ容器２０を縦置き姿勢で使用できるようになっている。
【００６６】
ウェットティッシュ容器２０は、図７に示すように、容器本体２２の底面部２２ａを下にして横置き姿勢にされたとき、第１の取出口２６が容器上部に位置するようになっている。また、ウェットティッシュ容器２０は、容器本体２２の端面部２２ｃを下にして縦置き姿勢にされたとき、第２の取出口２８が容器上部に位置するようになっている。
【００６７】
第１の取出口２６は、容器本体２２の湾曲した側面部２２ｂの略中央に形成された矩形凹部２６ａと、その略中央に形成された楕円形の貫通孔２６ｂと、貫通孔２６ｂの周縁に形成された楕円状の凸部２６ｃとを有している。
【００６８】
第１の取出口２６には、該取出口を開閉自在に閉鎖する第１のカバー部２７が設けられている。第１のカバー部２７は、容器本体２２の側面部２２ｂと略同じ曲率で湾曲したカバー本体２７ａと、貫通孔２６ｂの周縁に設けられた楕円状の凸部２６ｃの外側に液密状に嵌る楕円状の凸部２７ｃとを有している。第１のカバー部２７は、ヒンジ部２７ｂを介して容器本体２２の側面部２２ｂに取り付けられている。
【００６９】
第２の取出口２８は、蓋体２４の外側面に形成された円形凹部２８ａと、その略中央に形成された円形の貫通孔２８ｂと、円形凹部２８ａの貫通孔２８ｂの周縁に形成された円形状の凸部２８ｃと、を有している。
【００７０】
第２の取出口２８を開閉自在に閉鎖する第２のカバー部２９は、ヒンジ部２９ｂを介して蓋体２４に取り付けられている。第２のカバー部２９は、蓋体２４の円形凹部２８ａと略同じ形状のカバー本体２９ａと、貫通孔２８ｂの周縁に形成された円形状の凸部２８ｃの外側に液密状に嵌る円形状の凸部２９ｃと、を有している。
【００７１】
また、図８〜図１０に示すように、第２の取出口２８には、取り出されるウェットティッシュ４０ｂと次のウェットティッシュとを引き離すセパレータ２１が設けられている。セパレータ２１は、第２の取出口２８の貫通孔２８ｂを塞ぐ大きさを有する本体の略中央に、貫通孔２８ｂより小さい円形の通し孔２１ａが形成されている。セパレータ本体には、通し孔２１ａに通じるスリット２１ｂが形成され、セパレータ２１の弾性変形を容易にしている。
【００７２】
図１１に示すように、ウェットティッシュ４０は、積層方向下端側が凹状に湾曲した状態でウェットティッシュ容器２０に収容されるようになっている。
【００７３】
第２の実施形態においても、第１の実施形態と同様に、横置き姿勢でも縦置き姿勢でも取出口が常に容器上部に位置しており、また個々のシートに分離したウェットティッシュを湾曲させて収容しているので、ウェットティッシュを取り出すのが容易である。
【００７４】
［第３の実施形態］
次に、本発明の第３の実施形態に係るウェットティッシュ容器３０を説明する。
【００７５】
図１２および図１３に示すように、本実施形態に係るウェットティッシュ容器３０は、直方体状の容器本体３２と板状の蓋体３４とを有している。容器本体３２の側面部３２ｂ、３２ｃ、３２ｄ、３２ｅの周縁部３２ｆが、蓋体３４の周縁に設けられた環状の凸部３４ｂの外側に着脱自在に嵌められることで、略直方体の容器を形成するようになっている。
【００７６】
図１３に示すように、積層された複数枚のウェットティッシュ４０は、パッケージ４２に入れられた状態で、ウェットティッシュ容器３０に収容されるようになっている。
【００７７】
図１４は、ウェットティッシュ容器３０の使用時の斜視図であり、図１５はそのＥ−Ｅ縦断面図であり、図１６はＦ−Ｆ横断面図である。
【００７８】
図１５に示すように、ウェットティッシュ容器３０は、ウェットティッシュ４０を積層方向上端側から順に取り出すための第１の取出口３６と、積層方向下端側から順に取り出すための第２の取出口３８と、を備えている。第１の取出口３６は、積層方向の容器面である容器本体３２の上面部３２ａに設けられ、第２の取出口３８は、積層方向と直交する容器面である容器本体３２の側面部３２ｃに設けられている。
【００７９】
ウェットティッシュ容器３０は、蓋体３４を下にして横置き姿勢で使用できるようになっている。また、ウェットティッシュ容器３０は、容器本体３２の平坦な側面部３２ｅを下にして縦置き姿勢で使用できるようになっている。
【００８０】
ウェットティッシュ容器３０は、図１２に示すように、蓋体３４を下にして横置き姿勢にされたとき、第１の取出口３６が容器上部に位置するようになっている。また、ウェットティッシュ容器３０は、側面部３２ｅを下にして縦置き姿勢にされたとき、第２の取出口３８が容器上部に位置するようになっている。
【００８１】
第１の取出口３６は、容器本体３２の上面部３２ａの略中央に形成された矩形凹部３６ａと、その略中央に形成された楕円形の貫通孔３６ｂと、貫通孔３６ｂの周縁に形成された楕円状の凸部３６ｃとを有している。
【００８２】
第１の取出口３６には、該取出口を開閉自在に閉鎖する第１のカバー部３７が設けられている。第１のカバー部３７は、上面部３２ａの矩形凹部３６ａと略同じ形状のカバー本体３７ａと、貫通孔３６ｂの周縁に設けられた楕円状の凸部３６ｃの外側に液密状に嵌る楕円状の凸部３７ｃとを有している。第１のカバー部３７は、ヒンジ部３７ｂを介して容器本体３２の上面部３２ａに取り付けられている。
【００８３】
第２の取出口３８は、容器本体３２の側面部３２ｃの外面側に形成された円形凹部３８ａと、その略中央に形成された円形の貫通孔３８ｂと、貫通孔３８ｂの周縁に形成された円形状の凸部３８ｃと、を有している。
【００８４】
第２の取出口３８を開閉自在に閉鎖する第２のカバー部３９は、ヒンジ部３９ｂを介して容器本体３２の側面部３２ｃに取り付けられている。第２のカバー部３９は、側面部３２ｃの円形凹部３８ａと略同じ形状のカバー本体３９ａと、貫通孔３８ｂの周縁に形成された円形状の凸部３８ｃの外側に液密状に嵌る円形状の凸部３９ｃと、を有している。
【００８５】
また、図１４および図１５に示すように、第２の取出口３８には、取り出されるウェットティッシュ４０ｂと次のウェットティッシュとを引き離すセパレータ３１が設けられている。セパレータ３１は、第２の取出口３８の貫通孔３８ｂを塞ぐ大きさを有する本体の略中央に、貫通孔３８ｂより小さい円形の通し孔３１ａが形成されている。
【００８６】
図１６に示すように、ウェットティッシュ４０は、積層方向下端側が凹状に湾曲した状態でウェットティッシュ容器３０に収容されるようになっている。
【００８７】
第３の実施形態においても、第１および第２の実施形態と同様に、横置き姿勢でも縦置き姿勢でも取出口が常に容器上部に位置しており、また個々のシートに分離したウェットティッシュを湾曲させて収容しているので、ウェットティッシュを取り出すのが容易である。
【００８８】
［第４の実施形態］
次に、本発明の第４の実施形態に係るウェットティッシュ容器５０を説明する。
【００８９】
図１７および図１８に示すように、本実施形態に係るウェットティッシュ容器５０は、第２の実施形態と同様に、有底筒状の容器本体５２と蓋体５４とを有している。このウェットティッシュ容器５０は、容器本体５２の一端面部５２ｄに設けられた雄ネジ付き開口筒部５２ｅが、蓋体５４の雌ネジ付き筒部５４ｂに取り付けられることで、閉鎖容器を形成するようになっている。
【００９０】
本実施の形態に係るウェットティッシュ容器５０は、以下の点で第２の実施の形態に係るウェットティッシュ容器２０と相違している。
まず、図１７に示すように、本実施の形態に係るウェットティッシュ容器５０は、容器本体５２の平坦な底面部５２ａに、容器内部に隆起した峰部５１を有している点で、底面部２２ａの全体が平坦な第２の実施形態のウェットティッシュ容器２０と相違している。本実施形態の峰部５１は、図１７（ｃ）の断面でみて略Ｖ形またはＵ形に隆起しており、隆起基部は若干丸みを帯びて形成されている。峰部５１は、底面部５２ａから立ち上がる１本以上のリブであってもよい。図２０の縦断面図に示すように、峰部５１と底面部５２ａとは容器中間部で滑らかに接続している。
【００９１】
また、図１８に示すように、本実施の形態に係るウェットティッシュ容器５０は、蓋体５４に形成された第２の取出口５８の貫通孔５８ｂが、中央部のくびれた楕円形（又はひょうたん形）である点で、円形の貫通孔２８ｂにセパレータ２１が取り付けられた構成の第２の実施形態と相違している。第２の取出口５８から一のウェットティッシュ４０を取り出す際に、貫通孔５８ｂの幅狭の中央部により、後続のウェットティッシュを分離することができるようになっている。
【００９２】
以下、第４の実施形態に係るウェットティッシュ容器５０の構成について更に説明する。図１８に示すように、積層された複数枚のウェットティッシュ４０は、パッケージ４２に入れられた状態で、容器本体５２の開口部５３から容器内に収容されるようになっている。
【００９３】
図１９は、ウェットティッシュ容器５０の使用時の斜視図であり、図２０はそのＪ−Ｊ縦断面図であり、図２１はＫ−Ｋ横断面図である。
【００９４】
図２０に示すように、ウェットティッシュ容器５０は、ウェットティッシュ４０を積層方向上端側から順に取り出すための第１の取出口５６と、積層方向下端側から順に取り出すための第２の取出口５８と、を備えている。第１の取出口５６は、積層方向の容器面である容器本体５２の側面部５２ｂに設けられ、第２の取出口５８は、積層方向と直交する方向の容器面である蓋体５４に設けられている。
【００９５】
容器本体５２は、平坦な底面部５２ａと、底面部５２ａより容器内部に隆起した峰部５１とを備えており、ウェットティッシュ容器５０を横置き姿勢で使用できるようになっている。図２０に示すように、峰部５１は、底面部５２ａの全体ではなく、端面部５２ｃ側から一定の範囲に形成されている。よって、ウェットティッシュ４０を積層方向下端側から第２の取出口５８を介して取り出す際に、ウェットティッシュが容器内面に密着しておらず、取り出し易くなっている。また、ウェットティッシュ容器５０は、容器本体５２が平坦な端面部５２ｃを備えており、ウェットティッシュ容器５０を縦置き姿勢で使用できるようになっている。
【００９６】
ウェットティッシュ容器５０は、図１７（ａ）に示すように、容器本体５２の底面部５２ａを下にして横置き姿勢にされたとき、第１の取出口５６が容器上部に位置するようになっている。また、ウェットティッシュ容器５０は、容器本体５２の端面部５２ｃを下にして縦置き姿勢にされたとき、第２の取出口５８が容器上部に位置するようになっている。
【００９７】
図１８に示すように、第１の取出口５６は、容器本体５２の湾曲した側面部５２ｂの略中央に形成された矩形凹部５６ａと、その略中央に形成された楕円形の貫通孔５６ｂと、貫通孔５６ｂの周縁に形成された楕円状の凸部５６ｃと、第１のカバー部５７を指で開け易くするための凹部５６ｄとを有している。
【００９８】
第１の取出口５６には、該取出口を開閉自在に閉鎖する第１のカバー部５７が設けられている。第１のカバー部５７は、容器本体５２の側面部５２ｂと略同じ曲率で湾曲したカバー本体５７ａと、貫通孔５６ｂの周縁に設けられた楕円状の凸部５６ｃの外側に液密状に嵌る楕円状の凸部５７ｃとを有している。第１のカバー部５７は、ヒンジ部５７ｂを介して容器本体５２の側面部５２ｂに取り付けられている。
【００９９】
第２の取出口５８は、蓋体５４の外側面に形成された円形凹部５８ａと、その略中央に形成された中央部のくびれた楕円形の貫通孔５８ｂと、円形凹部５８ａの貫通孔５８ｂの周縁に形成された円形状の凸部５８ｃと、第２のカバー部５９のタブ５９ｄを収容する凹部５８ｄとを有している。
【０１００】
第２の取出口５８を開閉自在に閉鎖する第２のカバー部５９は、ヒンジ部５９ｂを介して蓋体５４に取り付けられている。第２のカバー部５９は、蓋体５４の円形凹部５８ａと略同じ形状のカバー本体５９ａと、貫通孔５８ｂの周縁に形成された円形状の凸部５８ｃの外側に液密状に嵌る円形状の凸部５９ｃと、タブ５９ｄとを有している。
【０１０１】
図２１に示すように、ウェットティッシュ４０は、容器内部に断面Ｖ形またはＵ形に隆起した峰部５１の上に支持され、積層方向下端側が凹状に湾曲した状態でウェットティッシュ容器５０に収容されるようになっている。ウェットティッシュ４０は、平坦な底面部５２ａにはほとんど支持されておらず、積層されたウェットティッシュ４０を第２の取出口５８から取り出す際に、底面部５２ａから受ける摩擦抵抗力が軽減されている。
【０１０２】
第４の実施形態においても、第１〜第３の実施形態と同様に、横置き姿勢でも縦置き姿勢でも取出口が常に容器上部に位置しており、また個々のシートに分離したウェットティッシュを湾曲させて収容しているので、ウェットティッシュを取り出すのが容易である。
【０１０３】
また、図２、図８、図１３、図１８に示すように、本発明の各実施形態に係るウェットティッシュ製品１、２、３、４は、積層された複数枚のウェットティッシュ４０と、上記実施形態のいずれかに記載のウェットティッシュ容器１０、２０、３０、５０と、を備え、ウェットティッシュ４０がウェットティッシュ容器１０、２０、３０、５０に収容された構成である。
【０１０４】
以上説明してきたように、本発明に係るウェットティッシュ容器は、第１〜第４の実施の形態に示すように、例えば、４つの形態を示すことができる。第１の実施の形態では、縦置きと横置きのいずれも可能な容器本体１２と、容器本体１２の開口を閉じる蓋体１４とを有し、蓋体１４に第１の取出口１６と第２の取出口１８とを有する。第２の実施の形態では、縦置きと横置きのいずれも可能な容器本体２２と、キャップ形状の蓋体２４とを有し、容器本体２２に第１の取出口２６を有し、蓋体２４に第２の取出口２８を有する。第３の実施の形態では、容器本体３２と、下面を閉じる蓋体３４とを有し、容器本体３２に、第１の取出口３６と第２の取出口３８とを有する。第４の実施の形態では、縦置きと横置きのいずれも可能で底面部５２ａに峰部５１が形成された容器本体５２と、キャップ形状の蓋体５４とを有し、容器本体５２に第１の取出口５６を有し、蓋体５４に第２の取出口５８を有する。なお、本発明は、上記４つの形態に限定されない。
【０１０５】
本発明は、容器姿勢に依らず片手でも容易にウェットティッシュを取り出すことができるという効果を有し、ウェットティッシュ容器およびウェットティッシュ製品の全般に有用である。
【符号の説明】
【０１０６】
１、２、３、４  ウェットティッシュ製品
１０、２０、３０、５０  ウェットティッシュ容器
１１、２１、３１  セパレータ
１２、２２、３２、５２  容器本体
１４、２４、３４、５４  蓋体
１６、２６、３６、５６  第１の取出口
１７、２７、３７、５７  第１のカバー部
１８、２８、３８、５８  第２の取出口
１９、２９、３９、５９  第２のカバー部
４０  ウェットティッシュ
４２  パッケージ
４４  第１の開口部
４６  第２の開口部
【図１】
2018070166.tif 000003
【図２】
2018070166.tif 000004
【図３】
2018070166.tif 000005
【図４】
2018070166.tif 000006
【図５】
2018070166.tif 000007
【図６】
2018070166.tif 000008
【図７】
2018070166.tif 000009
【図８】
2018070166.tif 000010
【図９】
2018070166.tif 000011
【図１０】
2018070166.tif 000012
【図１１】
2018070166.tif 000013
【図１２】
2018070166.tif 000014
【図１３】
2018070166.tif 000015
【図１４】
2018070166.tif 000016
【図１５】
2018070166.tif 000017
【図１６】
2018070166.tif 000018
【図１７】
2018070166.tif 000019
【図１８】
2018070166.tif 000020
【図１９】
2018070166.tif 000021
【図２０】
2018070166.tif 000022
【図２１】
2018070166.tif 000023